(57)【要約】【課題】所定の散水半径に均等に散布することができ、且つ、延焼防止効果を向上させた消火剤を用いたスプリンクラ消火設備を提供する。【解決手段】防護領域Ｓに設けられ配管７に接続されたスプリンクラヘッド２と、該配管７に消火剤Ｅを圧送する加圧手段３とを備え、該加圧手段３によって、該配管７を介して該スプリンクラヘッド２から消火剤Ｅを放出する湿式スプリンクラ消火設備１であって、該消火剤Ｅはチキソトロピー性を有する。又、前記消火剤Ｅは、コロイド性含水ケイ酸塩を含み、前記加圧手段３によって加圧されることでゾル状となり、前記配管７内を移動して前記スプリンクラヘッド２から均等に散布されると共に、該スプリンクラヘッド２から散布されて静止するとゲル状となり、散布された位置で留まることができる様にすることもできる。【選択図】図１
2014014401.tif 000002
【特許請求の範囲】
【請求項１】
防護領域に設けられ配管に接続されたスプリンクラヘッドと、該配管に消火剤を圧送する加圧手段とを備え、該加圧手段によって、該配管を介して該スプリンクラヘッドから消火剤を放出するスプリンクラ消火設備であって、
該消火剤はチキソトロピー性を有することを特徴とするスプリンクラ消火設備。
【請求項２】
前記消火剤は、コロイド性含水ケイ酸塩を含み、
前記加圧手段によって加圧されることでゾル状となり、前記配管内を移動して前記スプリンクラヘッドから均等に散布されると共に、
該スプリンクラヘッドから散布されて静止するとゲル状となり、散布された位置で留まることを特徴とする請求項１に記載のスプリンクラ消火設備。
【請求項３】
前記配管には、前記消火剤が常時より充填されていることを特徴とする請求項１又は２に記載のスプリンクラ消火設備。
【発明の詳細な説明】
【技術分野】
【０００１】
本発明は、スプリンクラ消火設備に関し、より詳細にはチキソトロピー性を有する消火剤を使用するスプリンクラ消火設備に関する。
【背景技術】
【０００２】
従来、消火用水を火源又はその周囲に散布することにより、火災を抑制若しくは消火すると共に、火源の周囲を濡らすことによって延焼防止を図る消火設備がある。しかし、水は比較的粘度が低いため、物体に掛かっても重力により直ぐに下方に流れてしまい、該物体に留まる水分はその表面の極僅かであり、継続的に放水をしないと、十分な延焼防止効果を得ることは困難であった。
【０００３】
そこで、吸水性ポリマー等を消火用水に添加することでハイドロゲル化し、消火剤の粘性を高め、物体に付着し易くすることによって、延焼防止効果を向上させた消火剤が開発されている（例えば、特許文献１を参照）。
【先行技術文献】
【特許文献】
【０００４】
【特許文献１】特開２０１１−１６７３５７号公報
【発明の概要】
【発明が解決しようとする課題】
【０００５】
しかしながら、火災時に、従来の消火剤をスプリンクラヘッドによって散布しようとすると、粘度が高すぎて、所定の散水半径に均等に散布することが困難であるという問題があった。
【０００６】
そこで、本発明は、所定の散水半径に均等に散布することができ、且つ、延焼防止効果を向上させた消火剤を用いたスプリンクラ消火設備を提供することを目的とする。
【課題を解決するための手段】
【０００７】
本発明は、防護領域に設けられ配管に接続されたスプリンクラヘッドと、該配管に消火剤を圧送する加圧手段とを備え、該加圧手段によって、該配管を介して該スプリンクラヘッドから消火剤を放出するスプリンクラ消火設備であって、該消火剤はチキソトロピー性を有することを特徴とするスプリンクラ消火設備である。
【０００８】
又、本発明は、前記消火剤は、コロイド性含水ケイ酸塩を含み、前記加圧手段によって加圧されることでゾル状となり、前記配管内を移動して前記スプリンクラヘッドから均等に散布されると共に、該スプリンクラヘッドから散布されて静止するとゲル状となり、散布された位置で留まることを特徴とするスプリンクラ消火設備である。又、本発明は、前記配管には、前記消火剤が常時より充填されていることを特徴とするスプリンクラ消火設備である。
【発明の効果】
【０００９】
消火剤がチキソトロピー性を有することによって、スプリンクラヘッドから散布される時には低粘度となり、水と同等に噴霧可能となると共に物体に付着後には高粘度となり、物体上に留まり流れ落ちない。そのため、所定の散水半径に均等に散布することができると共に延焼防止効果を向上させることができる。
【図面の簡単な説明】
【００１０】
【図１】本発明の実施形態を示す図であり、湿式スプリンクラ消火設備の系統図である。
【発明を実施するための形態】
【００１１】
本発明の実施形態を、湿式スプリンクラ消火設備を例に図１に基づき説明する。先ず、湿式スプリンクラ消火設備１の構成について説明する。
【００１２】
湿式スプリンクラ消火設備１は、スプリンクラヘッド２及び加圧手段としてのポンプ３、薬剤タンク４及び消火用水タンク５を備える。スプリンクラヘッド２は、常時は閉鎖されていると共に防護領域Ｓ内に設けられスプリンクラ配管７に接続されている。スプリンクラ配管７は一端が混合器８に接続され、他端が末端試験弁９に接続されている。
【００１３】
消火用水タンク５は、消火用水Ｗを貯留するためのタンクであり、ポンプ３によって連通される２つの配管６ａ，６ｂからなる消火用水配管６を介して混合器８と接続されている。
【００１４】
薬剤タンク４には、消火用水Ｗにチキソトロピー性（揺変性）を与える物質（以下、揺変剤Ｔという）が貯蔵される。又、薬剤タンク４は、薬剤配管１０を介して混合器８に接続されている。ここで、チキソトロピー性とは、「単に掻き混ぜたり振り混ぜたりすることによってゲルが流動性のゾルに変わり、これを放置しておくとふたたびゲルにもどる性質」をいう（岩波理化学辞典第４版、岩波書店発行、より引用）。
【００１５】
揺変剤Ｔとしては、スメクタイト、ベントナイト及びモンモリロナイト等のコロイド性含水ケイ酸塩を含有する鉱物や当該ケイ酸塩からなる合成無機高分子化合物等が挙げられる。
【００１６】
混合器８は、薬剤配管１０を介して供給された揺変剤Ｔと消火用水配管６を介して供給された消火用水Ｗとを混合し、チキソトロピー性を有する消火剤Ｅを調整し、消火剤Ｅをスプリンクラ配管７に供給するために設けられる。
【００１７】
消火用水Ｗと揺変剤Ｔの混合割合は、求められる消火剤Ｅの性能に応じて適宜調整されるが、少なくとも、ポンプ３によって加圧され、消火剤Ｅがゾル状となった際には、その粘度（以下、ゾル状態における消火剤Ｅの粘度を粘度ηｓという）が、スプリンクラ配管７内を移動してスプリンクラヘッド２から均等に散布ができる程度に低粘度となり、スプリンクラヘッド２から散布されて静止し、消火剤Ｅがゲル状となった際には、その粘度（以下、ゲル状態における消火剤Ｅの粘度を粘度ηｇという）が、散布された位置で留まることができる程度に高粘度となる混合割合で調整される。
【００１８】
ポンプ３は、消火用水タンク５に貯留された消火用水Ｗを混合器８に供給すると共にゲル状の消火剤Ｅをゾル状にする加圧手段として設けられる。ポンプ３は、防護領域Ｓ内に設けられた火災感知器１２と接続された防災盤１１によって制御される。
【００１９】
次に、湿式スプリンクラ消火設備１の動作について説明する。湿式スプリンクラ消火設備１は、常時においてもスプリンクラ配管７に消火剤Ｅが充填されている。この時、消火剤Ｅは静止しており、ゲル状となっている。
【００２０】
この際、消火剤Ｅの粘度ηｇをより高粘度とし、流動性が殆どなくなる程度に、消火用水Ｗと揺変剤Ｔとの混合割合を調整することで、スプリンクラヘッド２が外力等で破損し開放された際に、スプリンクラヘッド２から漏れ難くなるため、水損事故を未然に防ぐことが可能となる。又、スプリンクラヘッド２を交換する際にも、スプリンクラ配管７内の消火剤Ｅを事前に抜く必要がなくなり、より容易に交換することができる様になる。
【００２１】
防護領域Ｓ内で火災が発生すると、その熱等によって、スプリンクラヘッド２が開放されると共に火災感知器１２が防護領域Ｓ内の火災を感知し、火災信号を防災盤１１に送信する。防災盤１１は、火災信号を受信すると、ポンプ３に起動信号を送信する。ポンプ３は、起動信号を受信すると起動し、消火用水タンク５に貯留されている消火用水Ｗを混合器８へと供給する。
【００２２】
又、ポンプ３の起動により、スプリンクラ配管７に予め充填されていた消火剤Ｅには、その圧力によって剪断応力が加わり、ゲル状態からゾル状態へと変化し、開放されたスプリンクラヘッド２から放出され、防護領域Ｓへと散布される。
【００２３】
混合器８に消火用水Ｗが供給されると、薬剤タンク４内の揺変剤Ｔが混合器８へと供給され、ゾル状の消火剤Ｅが調整される。そして、消火剤Ｅはゾル状のまま、スプリンクラ配管７へと供給され、スプリンクラヘッド２から防護領域Ｓへと散布される。この際、消火剤Ｅは、粘度ηｓ又はそれに近い比較的低い粘度の状態で放出され、所定の散水半径で均等に散布される。尚、本実施形態では、消火剤Ｅの粘度ηｓ≒ηｗ（水の粘度）となっているので、消火剤Ｅは水と同等に散布される。
【００２４】
その後、空中を移動する消火剤Ｅは、ポンプ３の圧力による剪断応力から解放されるので、徐々にゲル化、即ち、その粘度が粘度ηｇに向かって徐々に増加していき、ゲル状の消火剤Ｅが消火対象物体の表面に付着する。そして、ゲル状の消火剤Ｅは当該物体から流れ落ちずに当該物体上に留まる。揺変剤Ｔが上記ケイ酸塩を含有するものである場合は、消火用水Ｗが蒸発した後も、耐火性の高いケイ酸塩成分が当該物体の表面に残存するため、当該物体の再着火を防止することが可能となる。
【００２５】
以上、本発明を上記実施形態で説明したが、発明の要旨を変更しない範囲で適宜変更が可能である。例えば、常時は、スプリンクラ配管７に消火剤Ｅ（消火用水Ｗ）が充填（充水）されていない、乾式のスプリンクラ消火設備に対しても適用が可能である。
【００２６】
又、混合器８を設けずに、予め、消火用水Ｗと揺変剤Ｔとを混合し、消火剤Ｅを調整しておき、消火用水Ｗの替わりにゾル状態の消火剤Ｅを直接供給する様にしてもよい。これにより、例えば、パッケージタイプの消火設備に用いられる薬剤タンクが破損した場合でも、水が漏れ難いという効果が得られる。そして、スプリンクラヘッド２等の数は適宜変更することが可能である。
【符号の説明】
【００２７】
１    湿式スプリンクラ消火設備    ２    スプリンクラヘッド    ３    ポンプ
４    薬剤タンク                  ５    消火用水タンク        ６    消火用水配管
７    スプリンクラ配管            ８    混合器                ９    末端試験弁
１０  薬剤配管                    １１  防災盤                １２  火災感知器
Ｅ    消火剤                      Ｓ    防護領域              Ｔ    揺変剤
Ｗ    消火用水
【図１】
2014014401.tif 000003